(57)【要約】【課題】本発明の目的は、クッションパッドを有するケースを提供することである。【解決手段】本発明のクッションパッドを有するケースは、底板を有するケース本体と底板に装着されるクッションパッドとを備え、ケース本体はクッションパッドによってプラットフォーム上に載置され、底板には貫通孔及び第１の収容部が設けられ、底板の内側における第１の収容部に近い箇所には係合突起が立設され、クッションパッドの底板に対面する片側の面には収容突出部が設けられ、収容突出部の片側から第２の収容部を有する固定部が延在して形成され、固定部を第１の収容部に貫通させた後に、係合突起を第２の収容部を貫通して固定部に係合させ、クッションパッドを貫通孔に押し込み、収容突出部を貫通孔に収容させ、これによりクッションパッドを底板に固定する。【選択図】図２
2014067404.tif 000002
【特許請求の範囲】
【請求項１】
底板を有するケース本体と、前記底板に装着されるクッションパッドとを備えているケースであって、前記ケース本体が、前記クッションパッドを介してプラットフォーム上に載置されており、前記底板には、貫通孔及び第１の収容部が設けられており、前記底板の内側における前記第１の収容部に近い箇所には、係合突起が立設されており、前記クッションパッドの前記底板に対面する片側の面には、収容突出部が設けられており、第２の収容部を有する固定部が、前記収容突出部の片側から延在して形成されている、前記ケースにおいて、
前記固定部を前記第１の収容部に貫通させた後に、前記係合突起を前記第２の収容部を貫通して前記固定部に係合させ、前記クッションパッドを前記貫通孔に押し込み、前記収容突出部を前記貫通孔に収容させることによって、前記クッションパッドを前記底板に固定することを特徴とするケース。
【請求項２】
前記底板には、切欠口が設けられており、
前記収容突出部が、前記貫通孔に収容された場合に弾性変形し、
前記収容突出部の一部分が、前記切欠口から前記底板の内側に向かって弾性復元することを特徴とする請求項１に記載のケース。
【請求項３】
前記貫通孔の周辺には、ストリップが設けられており、
前記第１の収容部及び前記切欠口が、前記ストリップの両側に開設されていることを特徴とする請求項２に記載のケース。
【請求項４】
前記クッションパッドの前記底板に背向する片側には、突出された支持面が形成されていることを特徴とする請求項１〜３のいずれか一項に記載のケース。
【請求項５】
前記支持面と前記収容突出部と前記固定部とが、全て弾性材料から成ることを特徴とする請求項４に記載のケース。
【発明の詳細な説明】
【技術分野】
【０００１】
本発明は、ケースに関し、特にクッションパッドを有するケースに関する。
【背景技術】
【０００２】
例えばノートパソコン、タブレットのような電子装置は、例えばテーブルのようなプラットフォーム上に載置させて使用する場合があるが、この場合に電子装置をプラットフォーム上に直接載置すると、電子装置の表面がプラットフォームと直接接触することになる。このため、電子装置を動かしたときに生じる摩擦によって電子装置の表面が損耗し易く、その結果として、電子装置の耐用寿命が短縮される場合がある。さらに、電子装置をプラットフォーム上に直接載置すると、電子装置とプラットフォームとの間における空気の流通が阻害されるので、電子装置の放熱にも悪影響を与える。
【発明の概要】
【発明が解決しようとする課題】
【０００３】
本発明の目的は、上述の課題を解決するためのクッションパッドであって、クッションパッドを有するケースを提供することである。
【課題を解決するための手段】
【０００４】
本発明に係るクッションパッドを有するケースは、底板を有するケース本体と底板に装着されるクッションパッドとを備えており、ケース本体が、クッションパッドによってプラットフォーム上に載置されており、底板には、貫通孔及び第１の収容部が設けられており、底板の内側における第１の収容部に近い箇所には、係合突起が立設されており、クッションパッドの底板に対面する片側の面には、収容突出部が設けられており、第２の収容部を有する固定部が、収容突出部の片側から延在して形成されており、固定部を第１の収容部に貫通させた後に、係合突起を第２の収容部を貫通して固定部に係合させ、クッションパッドを貫通孔に押し込み、収容突出部を貫通孔に収容させることによって、クッションパッドを底板に固定する。
【発明の効果】
【０００５】
本発明では、ケース本体をクッションパッドを介してプラットフォームに支持することができる。
【図面の簡単な説明】
【０００６】
【図１】本発明の実施形態に係るクッションパッドを有するケースの斜視図である。
【図２】図１に示すクッションパッドを有するケースの部分的な分解斜視図である。
【図３】図１に示すクッションパッドを有するケースの部分的な分解斜視図である。
【図４】図２に示すクッションパッドを有するケースの一部分を示す組立図である。
【発明を実施するための形態】
【０００７】
本発明の実施形態について、添付図面を参照しつつ以下に説明する。
【０００８】
図１を参照すると、本発明の一の実施形態に係るクッションパッドを有するケースは、ケース本体１０と、ケース本体１０に装着される４つのクッションパッド２０とを備えている。
【０００９】
図１〜図３を併せて参照すると、ケース本体１０は、底板１６を備えており、底板１６の四隅には、それぞれ１つのクッションパッド２０を装着するための貫通孔１１が開設されている。底板１６の内側（ケース本体１０の内部側）における貫通孔１１の周辺には、ストリップ１５が立設されており、ストリップ１５の一方の側には、円弧形の第１の収容部１２が開設されており、ストリップ１５の他方の側には、円弧状の切欠口１３が開設されている。底板１６の内側における第１の収容部１２に近い箇所には、柱状の係合突起１８が立設されている。
【００１０】
クッションパッド２０の一方側の面には、クッションパッド２０をケース本体１０に装着させた場合に底板１６の外側に突出する支持面２１が形成されており、支持面２１は、球面形状であり且つ弾性材料から成る。クッションパッド２０の他方側の面の中央には、柱状の収容突出部２３が凸設されており、固定部２３１は、収容突出部２３の片側から延在して形成され、第２の収容部２３２が、固定部２３１の長手方向に沿って開設されている。固定部２３１及び第２の収容部２３２の外面は全て弧状とされる。収容突出部２３の外形寸法は、貫通孔１１の外形寸法より若干小さい。係合突起１８の外形寸法は、第２の収容部２３２の外形寸法よりも若干小さい。収容突出部２３及び固定部２３１は、全て弾性材料から成る。
【００１１】
図１〜図４を併せて参照すると、クッションパッド２０をケース本体１０に装着する場合に、クッションパッド２０をケース本体１０から脱落させないために、最初に、収容突出部２３が設けられた一方側の面が底板１６に対面するようにクッションパッド２０を方向づけると共に、収容突出部２３の固定部２３１を底板１６の第１の収容部１２に位置合わせした上で、クッションパッド２０を移動させ、収容突出部２３の固定部２３１を第１の収容部１２に貫通させた後に、係合突起１８を固定部２３１の第２の収容部２３２に貫通させ、係合突起１８を収容突出部２３に係合させる。次に、クッションパッド２０を貫通孔１１側に押し込んで収容突出部２３を底板１６の貫通孔１１に収容させる。底板１６の貫通孔１１に押し込まれた収容突出部２３は弾性変形し、収容突出部２３の一部分が切欠口１３から底板１６の内側に向かって弾性復元され、これにより、収容突出部２３と底板１６の貫通孔１１との結合がさらに緊密になる。
【００１２】
４つのクッションパッド２０をケース本体１０の底板１６に装着させた場合には、４つのクッションパッド２０の支持面２１が、例えばテーブルのようなプラットフォームに接触して、ケース本体１０を支持する。このとき、クッションパッド２０の支持面２１は、弾性を有しているので振動を吸収することができ、ケース本体１０はクッションパッド２０を介してプラットフォームから離間されているので、電子装置の放熱が促進される。
【００１３】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１４】
１０  ケース本体
１１  貫通孔
１２  第１の収容部
１３  切欠口
１５  ストリップ
１６  底板
１８  係合突起
２０  クッションパッド
２１  支持面
２３  収容突出部
２３１  固定部
２３２  第２の収容部
【図１】
2014067404.tif 000003
【図２】
2014067404.tif 000004
【図３】
2014067404.tif 000005
【図４】
2014067404.tif 000006